【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
発光手段と、
前記発光手段からの光を透過する第１パネルと、
前記第１パネルを透過した光を入力画像データに応じた透過率で透過して、画面に画像を表示する第２パネルと、
を有し、
前記第１パネルは、前記入力画像データの輝度の時間変化に応じた透過率で前記発光手段からの光を透過する
ことを特徴とする画像表示装置。
【請求項２】
前記第１パネルは、
前記入力画像データの輝度が変化しなかった場合に、所定の透過率で光を透過し、
前記入力画像データの輝度が増加した場合に、前記所定の透過率よりも高い透過率で光を透過し、
前記入力画像データの輝度が低下した場合に、前記所定の透過率よりも低い透過率で光を透過する
ことを特徴とする請求項１に記載の画像表示装置。
【請求項３】
前記第１パネルは、
前記入力画像データの輝度が増加した場合に、その増加量が大きいほど高い透過率で光を透過し、
前記入力画像データの輝度が低下した場合に、その低下量が大きいほど低い透過率で光を透過する
ことを特徴とする請求項２に記載の画像表示装置。
【請求項４】
前記入力画像データは、第１フレームと、前記第１フレームより前に入力される第２フレームとを含み、
前記第２パネルは、各フレームの複数の画素にそれぞれ対応する複数の透過素子を有し、
前記第１フレームを表示する場合に、前記複数の透過素子のそれぞれは、その透過素子に対応する前記第１フレームの画素の輝度に基づく透過率で光を透過し、
前記第１パネルは、各フレームの少なくとも１つの画素に対応する透過領域を有し、
前記第１フレームを表示する場合に、前記透過領域は、前記透過領域に対応する前記第２フレームの画素の輝度から、前記透過領域に対応する前記第１フレームの画素の輝度への輝度の変化量に応じた透過率で光を透過する
ことを特徴とする請求項１乃至請求項３のいずれか１項に記載の画像表示装置。
【請求項５】
前記輝度の変化量に基づいて前記透過領域の透過率を決定する第１決定手段と、
前記輝度の変化量と前記透過領域の透過率との対応関係に関する対応情報を記憶する記憶媒体と、
をさらに有し、
前記第１決定手段は、前記透過領域に対応する前記第１フレームの画素の輝度、前記透過領域に対応する前記第２フレームの画素の輝度、及び、前記対応情報に基づいて、前記第１フレームを表示する場合の前記透過領域の透過率を決定する
ことを特徴とする請求項４に記載の画像表示装置。
【請求項６】
前記輝度の変化量に基づいて前記透過領域の透過率を決定する第１決定手段、をさらに有し、
前記第１決定手段は、前記透過領域に対応する前記第１フレームの画素の輝度と、前記透過領域に対応する前記第２フレームの画素の輝度との差に所定の係数を乗算した値に基づいて、前記第１フレームを表示する場合の前記透過領域の透過率を決定する
ことを特徴とする請求項４に記載の画像表示装置。
【請求項７】
前記第１フレームを表示する場合に対して前記第１決定手段が決定した透過率に基づいて、前記第１フレームが表示される期間を構成する複数の分割期間のそれぞれにおける前記透過領域の透過率を決定する第２決定手段、をさらに有する
ことを特徴とする請求項５または請求項６に記載の画像表示装置。
【請求項８】
前記透過領域に対応する前記第１フレームの画素の輝度が、前記透過領域に対応する前記第２フレームの画素の輝度と異なる場合に、前記第２決定手段は、
前記第１フレームを表示する場合に対して前記第１決定手段が決定した透過率よりも所定の透過率との差が大きい透過率を、前記第１フレームが表示される期間を構成する２つの分割期間のうち時間的に前の分割期間における前記透過領域の透過率として決定し、
前記所定の透過率を、前記２つの分割期間のうち時間的に後の分割期間における前記透過領域の透過率として決定する
ことを特徴とする請求項７に記載の画像表示装置。
【請求項９】
前記第１パネルは、前記画面に対応する領域を構成する複数の透過領域を有する
ことを特徴とする請求項４乃至請求項８のいずれか１項に記載の画像表示装置。
【請求項１０】
前記透過領域は、各フレームの１つの画素に対応する
ことを特徴とする請求項４乃至請求項９のいずれか１項に記載の画像表示装置。
【請求項１１】
前記透過領域は、各フレームの２つ以上の画素に対応する
ことを特徴とする請求項４乃至請求項９のいずれか１項に記載の画像表示装置。
【請求項１２】
前記第１決定手段は、所定の透過率を前記輝度の変化量に基づいて補正することにより、前記透過領域の透過率を決定する
ことを特徴とする請求項５乃至請求項８のいずれか１項に記載の画像表示装置。
【請求項１３】
前記画素の輝度は、当該画素の階調値である
ことを特徴とする請求項４乃至請求項１２のいずれか１項に記載の画像表示装置。
【請求項１４】
前記第１パネルは、入力された階調値に基づく透過率で光を透過し、
前記第１決定手段は、前記輝度の変化量に基づいて所定の階調値を補正し、補正後の階調値を前記第１パネルに出力する
ことを特徴とする請求項５乃至請求項８のいずれか１項に記載の画像表示装置。
【請求項１５】
ユーザが入力した前記画面全体の明るさに応じて前記所定の透過率を決定する第３決定手段、をさらに有する
ことを特徴とする請求項２、請求項３、請求項８、または、請求項１２に記載の画像表示装置。
【請求項１６】
発光手段と、
前記発光手段からの光を透過する第１パネルと、
前記第１パネルを透過した光を透過して、画面に画像を表示する第２パネルと、
を有する画像表示装置の制御方法であって、
前記第１パネルの透過率を、入力画像データの輝度の時間変化に応じた透過率に制御する第１ステップと、
前記第２パネルの透過率を、前記入力画像データに応じた透過率に制御する第２ステップと、
を有する
ことを特徴とする画像表示装置の制御方法。
【手続補正２】
【補正対象書類名】明細書
【補正対象項目名】０００９
【補正方法】変更
【補正の内容】
【０００９】
本発明の第１の態様は、
発光手段と、
前記発光手段からの光を透過する第１パネルと、
前記第１パネルを透過した光を入力画像データに応じた透過率で透過して、画面に画像を表示する第２パネルと、
を有し、
前記第１パネルは、前記入力画像データの輝度の時間変化に応じた透過率で前記発光手段からの光を透過する
ことを特徴とする画像表示装置である。
【手続補正３】
【補正対象書類名】明細書
【補正対象項目名】００１０
【補正方法】変更
【補正の内容】
【００１０】
本発明の第２の態様は、
発光手段と、
前記発光手段からの光を透過する第１パネルと、
前記第１パネルを透過した光を透過して、画面に画像を表示する第２パネルと、
を有する画像表示装置の制御方法であって、
前記第１パネルの透過率を、入力画像データの輝度の時間変化に応じた透過率に制御する第１ステップと、
前記第２パネルの透過率を、前記入力画像データに応じた透過率に制御する第２ステップと、
を有する
ことを特徴とする画像表示装置の制御方法である。
【手続補正４】
【補正対象書類名】明細書
【補正対象項目名】００２６
【補正方法】変更
【補正の内容】
【００２６】
図３のテーブルデータでは、現フレームの入力画像データの取り得る階調値から前フレームの入力画像データの取り得る階調値を減算した値が大きいほど大きい補正値が定められている。そのため、本実施例では、前フレームから現フレームにかけて入力画像データの輝度が増加した場合に、その増加量が大きいほど高い値が、現フレームに対する第１液晶パネル１０４の透過率として決定される。また、前フレームから現フレームにかけて入力画像データの輝度が低下した場合に、その低下量が大きいほど低い値が、現フレームに対する第１液晶パネル１０４の透過率として決定される。
【手続補正５】
【補正対象書類名】明細書
【補正対象項目名】００４９
【補正方法】変更
【補正の内容】
【００４９】
第２液晶パネル１０５は、入力画像データの画素毎に透過率を制御可能な解像度を有する。具体的には、第２液晶パネル１０５は、入力画像データの画素毎に液晶素子を有する。
第１液晶パネル３０２は、第２液晶パネル１０５の解像度よりも低い解像度を有する。第２液晶パネル１０５は、入力画像データの画素毎に透過率を制御可能な解像度を有する。具体的には、第２液晶パネル１０５は、入力画像データの画素毎に液晶素子を有する。第１液晶パネル３０２は、入力画像データが表す画像の領域を構成する複数の分割領域の透過率を個別に制御な可能な解像度を有する。具体的には、第１液晶パネル３０２は、分割領域毎に液晶素子を有する。分割領域は、入力画像データの複数の画素からなる領域である。
【手続補正６】
【補正対象書類名】明細書
【補正対象項目名】００５３
【補正方法】変更
【補正の内容】
【００５３】
例えば、第１液晶パネル３０２の解像度を１００ｄｐｉとした場合、第１液晶パネル３０２の液晶素子の総数：第２液晶パネル１０５の液晶素子の総数＝１：９となる。第２液晶パネル１０５の解像度をＦｕｌｌＨＤ（水平方向１９２０画素×垂直方向１０８０画素）とした場合、第１液晶パネル３０２の解像度は６４０画素×３６０画素となる。この場合、第１液晶パネル３０２の透過率を、ＭＰＥＧ４やＭＰＥＧ２等の圧縮ブロックよりも小さい分割領域毎に画像表示の応答性を向上することができる。ＭＰＥＧ４では、画像の
領域を構成する水平方向８個×垂直方向８個の領域のそれぞれが圧縮ブロックとして使用されるため、圧縮ブロックのサイズは約水平方向２４０画素×垂直方向１３５画素である。ＭＰＥＧ２では、画像の領域を構成する１６個×１６個の領域のそれぞれが圧縮ブロックとして使用されるため、圧縮ブロックのサイズは約１２０画素×６８画素である。